(57)【要約】      （修正有）【課題】人体にアレルギーを生じさせにくく、錆が発生せず、内部の腐食が発生せず、かつ従来のガラス瓶タイプの代わりに、製品の外観をより美しくさせる新型ステンレス装身具を提供する。【解決手段】新型ステンレス装身具は、本体１０を含み、本体はステンレス素材であり、本体はカットアウト構造であってかつ収容空間１１が形成され、本体には外部と収容空間を連通する貫通孔１２が設置され、かつ収容空間内には香水の吸収が可能な部材２０が設置されている。ステンレス素材で本体を製作することにより、本体のカットアウト構造と組み合わせて収容空間を形成し、収容空間内に香水が吸収できる部材が設置されることにより、使用するとき、香水を部材内に滴下すると、良いにおいが漂い、ストレスを緩和させ、緊張を和らげる効果を有する。【選択図】図２
0003197965.tif 000002
【実用新案登録請求の範囲】
【請求項１】
ステンレス素材の本体を含み、該本体はカットアウト構造でありかつ収容空間が形成され、本体に外部と収容空間を連通する貫通孔が設置され、かつ該収容空間内には香水の吸収が可能な部材が設置されることを特徴とする新型ステンレス装身具。
【請求項２】
前記香水を吸収できる部材はコットンシート又はセラミックであることを特徴とする請求項1に記載の新型ステンレス装身具。
【請求項３】
前記新型ステンレス装身具はイヤリングであり、さらにフックを含み、該フックは本体に接続し、かつ該フックもステンレス素材であることを特徴とする請求項1に記載の新型ステンレス装身具。
【請求項４】
前記新型ステンレス装身具はネックレスであり、さらにチェーンを含み、該チェーンは本体に接続し、かつ該チェーンもステンレス素材であることを特徴とする請求項1に記載の新型ステンレス装身具。
【請求項５】
前記新型ステンレス装身具はブレスレット又はストラップであることを特徴とする請求項1に記載の新型ステンレス装身具。
【考案の詳細な説明】
【技術分野】
【０００１】
本考案は装身具の技術分野に関し、特に、新型ステンレス装身具に関する。
【背景技術】
【０００２】
ジュエリーは身体に着装する装身具であり、従来技術において一部の高価な金属はすべて貴金属で製作される一方、一部のポピュラーなジュエリーは銅材料で製作される。しかし、銅材料で製作されたジュエリーは人体にアレルギーを生じさせやすく、かつこられのジュエリーは装飾機能のみを備え、ストレスを緩和させ、緊張を和らげる効果を有しない。これらのジュエリーはストレスを緩和させ、緊張を和らげる効果を有するために、これらのジュエリーには通常はガラス瓶が設置されて、ガラス瓶に香水を収容することにより、香水のにおいによってストレスを緩和させ、緊張を和らげる効果を達成する。しかし、ガラス瓶の存在によりジュエリーの外観全体の美しさを失ってしまう。
【考案の概要】
【考案が解決しようとする課題】
【０００３】
これによって、本考案は従来の技術における欠点に対し、その主要な目的は新型ステンレス装身具を提供することであり、従来のジュエリーがアレルギーを生じさせやすく、美しくなくなる問題を効果的に解決できる。
【課題を解決するための手段】
【０００４】
上記の目的を実現するため、本考案は以下の技術的解決手段を用いる。
【０００５】
新型ステンレス装身具であって、本体を含み、該本体はステンレス素材であり、該本体はカットアウト（cut-out・hollow out）構造であり、かつ収容空間が形成され、本体には外部と収容空間を連通する貫通孔が設置され、かつ該収容空間内には香水の吸収が可能な部材が設置される。
【０００６】
また、前記香水の吸収が可能な部材としては、コットンシート（Cotton sheet）又はセラミックが好ましい。
【０００７】
また、前記新型ステンレス装身具はイヤリングであり、さらにフックを含み、該フックは本体に接続し、かつ該フックはステンレス素材であることが好ましい。
【０００８】
また、前記新型ステンレス装身具はネックレスであり、さらにチェーンを含み、該チェーンは本体に接続し、かつ該チェーンもステンレス素材であることが好ましい。
【０００９】
また、前記新型ステンレス装身具はブレスレット又はストラップであることが好ましい。
【００１０】
本考案は従来の技術に比べ、顕著な利点と効果を有し、具体的には、上記の技術的解決手段によって以下のことが分かる。
【００１１】
ステンレス素材で本体が製作されることにより、本体のカットアウト構造と組み合わせて収容空間が形成される。収容空間内には香水が吸収できる部材が設置されており、使用するときに、香水を部材内に滴下すると、良いにおいが漂い、ストレスを緩和させ、緊張を和らげる効果を有するとともに、本考案の製品はステンレスで製作されるため、人体にアレルギーを生じさせにくく、錆が発生せず、内部の腐食が発生せず、かつ従来のガラス瓶タイプの代わりに、製品の外観をより美しくさせる。
【００１２】
本考案の構造の特徴と効果を更に明確に説明するため、以下、図面と具体的な実施例に基づいて本考案を詳しく説明する。
【図面の簡単な説明】
【００１３】
【図１】図1は本考案の比較的好ましい実施方式の斜視図である。
【図２】図2は本考案の比較的好ましい実施方式の局部断面図である。
【考案を実施するための形態】
【００１４】
図1及び図2に示すように、本考案の比較的好ましい実施例の具体的な構造を表示し、本体10を含む。
【００１５】
該本体10はステンレス素材であり、該本体10はカットアウト構造であって収容空間11が形成され、本体10に外部と収容空間11を連通する貫通孔12が設置され、かつ該収容空間11内に香水が吸収できる部材20が設置され、該香水の吸収が可能な部材20はコットンシート又はセラミックであり、これに限定されない。
【００１６】
本実施例において、該新型ステンレス装身具はイヤリングであり、さらにフック30を含み、該フック30は本体10に接続し、かつ該フック30もステンレス素材である。もちろん、新型ステンレス装身具はネックレスであってもよいし（図示を省略する）、さらにチェーンを含み、該チェーンは本体10に接続し、かつ該チェーンもステンレス素材であり、また、該新型ステンレス装身具はブレスレット又はストラップ等であってもよいし、これに限定されない。
【００１７】
使用するとき、部材20を収容空間11内に置いて、次に香水を部材20内に滴下すると、良いにおいが漂い、ストレスを緩和させ、緊張を和らげる効果を有する。
【００１８】
本考案のデザインポイントは以下のとおりである。ステンレス素材で本体を作製することにより、本体のカットアウト構造と組み合わせて収容空間が形成され、収容空間に香水の吸収が可能な部材が設置されることにより、使用するときに、香水を部材に滴下すると、良いにおいが漂い、ストレスを緩和させ、緊張を和らげる効果を有するとともに、本考案の製品はステンレスで製作されるため、人体にアレルギーを生じさせにくく、錆が発生せず、内部の腐食が発生せず、かつ従来のガラス瓶タイプの代わりに、製品の外観をより美しくさせる。
【００１９】
以上、具体的な実施例に基づいて本考案の技術的原理を説明した。以上の説明はただ本考案の技術的原理を説明するためであり、本考案はこれらの実施例により何ら限定されるものではない。こちらの説明に基づき、当業者が容易に想到できる本考案の各種の変形は本考案の範囲内にも含まれる。
【符号の説明】
【００２０】
10  本体
11  収容空間
12  貫通孔
20  部材
30  フック
【図１】
0003197965.tif 000003
【図２】
0003197965.tif 000004